(57)【特許請求の範囲】
【請求項１】
画像データを紙等の媒体に印刷する印刷手段と；
上記印刷手段へ紙媒体を供給する紙媒体供給手段と；
紙以外の媒体である非紙媒体を上記印刷手段へ供給し、画像形成装置本体に着脱可能である非紙媒体供給手段と;
上記非紙媒体供給手段が上記画像形成装置本体に装着されているか否かを監視する監視手段と；
ファクシミリを受信する受信手段と；
上記画像形成装置本体に外付けされる電話機を接続する接続手段と；
上記接続手段に接続されている電話機で回線を捕捉した後に、上記画像形成装置本体でファクシミリ受信させるファクシミリ切り替え手段と；
上記非紙媒体供給手段が上記画像形成装置本体に装着されていると、上記監視手段が判断した場合には、回線からの着信に応答せず、上記接続手段に接続されている電話機が回線を捕捉した後に、着信がファクシミリであった場合に、上記ファクシミリ切り替え手段に応じてファクシミリ受信を行うように制御する制御手段と；
を有することを特徴とする画像形成装置。
【請求項２】
請求項１において、
上記ファクシミリ切り替え手段は、相手機からのＣＮＧ信号を検出することによって切り替える手段であることを特徴とする画像形成装置。
【請求項３】
請求項１において、
上記ファクシミリ切り替え手段は、上記接続手段に接続されている電話機からの信号を検出することによって切り替える手段であることを特徴とする画像形成装置。
【請求項４】
請求項１において、
上記制御手段は、上記電話機が回線を補足した後にファクシミリ受信する際に、上記非紙媒体供給手段が上記画像形成装置本体に装着されていないと、上記監視手段が判断した場合には、受信画像を上記印刷手段に印刷させる手段であることを特徴とする画像形成装置。
【請求項５】
画像データを紙等の媒体に印刷する印刷手段と、上記印刷手段へ紙媒体を供給する紙媒体供給手段と、紙以外の媒体である非紙媒体を上記印刷手段へ供給し、画像形成装置本体に着脱可能である非紙媒体供給手段とを備えている画像形成装置の制御方法であって、
上記非紙媒体供給手段が上記画像形成装置本体に装着されているか否かを監視する監視段階と；
ファクシミリを受信する受信段階と；
上記画像形成装置本体に外付けされる電話機を接続する接続段階と；
上記接続段階で接続された電話機で回線を捕捉した後に、上記画像形成装置本体でファクシミリ受信させるファクシミリ切り替え段階と；
上記非紙媒体供給手段が上記画像形成装置本体に装着されていると、上記監視段階で判断した場合には、回線からの着信に応答せず、上記接続段階で接続された電話機が回線を捕捉した後に、着信がファクシミリであった場合に、上記ファクシミリ切り替え段階に応じてファクシミリ受信を行うように制御する制御段階と；
を有することを特徴とする画像形成装置の制御方法。
【請求項６】
請求項５において、
上記ファクシミリ切り替え段階は、相手機からのＣＮＧ信号を検出することによって切り替える段階であることを特徴とする画像形成装置の制御方法。
【請求項７】
請求項５において、
上記ファクシミリ切り替え段階は、上記接続段階で接続された電話機からの信号を検出することによって切り替える段階であることを特徴とする画像形成装置の制御方法。
【請求項８】
請求項５において、
上記制御段階は、上記電話機が回線を補足した後にファクシミリ受信する際に、上記非紙媒体供給手段が上記画像形成装置本体に装着されていないと、上記監視段階で判断した場合には、受信画像を上記印刷手段に印刷させる段階であることを特徴とする画像形成装置の制御方法。
【発明の詳細な説明】
【０００１】
【発明の属する技術分野】
本発明は、紙媒体を印刷部に供給する紙媒体供給手段以外に、紙以外の媒体を印刷部に供給する非紙媒体供給手段を有する記録部を備え、また、ファクシミリ機能も備えたマルチファンクション装置（ＭＦＰ）等の画像形成装置およびその制御方法に関する。
【０００２】
【従来の技術】
近年、紙媒体を印刷部に供給する紙媒体供給手段以外に、ＣＤＲ等の紙以外の媒体である非紙媒体を印刷部に供給する非紙媒体供給手段を有し、上記非紙媒体に画像データを印刷することを可能とする記録装置が知られている。
【０００３】
非紙媒体供給手段を有し、ＣＤＲプリントが可能であるプリンタの場合、基本的には、プリンタに接続されたＰＣ上で、プリントするデータを加工し、ユーザがＣＤＲプリントするために、プリンタ側で、セッティングとＰＣ上での操作とを行い、ＣＤＲプリントを行う。
【０００４】
したがって、プリンタとしては、紙にプリントするセッティングになり、ＰＣから紙にプリントする指示を受ければ、紙にプリントし、ＣＤＲプリントするセッティングになり、ＰＣからＣＤＲプリントの指示を受ければ、ＣＤＲプリントすればよく、プリンタのセッティングとＰＣからの指示とが、万が一、食い違っていても、それをエラーとして処理すれば、問題は生じない。
【０００５】
また、パーソナルコンピュータ（以下ＰＣ）等の情報処理端末に接続可能であり、コンタクトイメージセンサ（ＣＩＳ）やＣＣＤ等によって構成されている読取手段を有し、コピー、ＰＣプリント、ファクシミリ等の機能を実行可能な複合機が知られている。
【０００６】
そこで、ＣＤ等の紙以外の媒体を、印刷部に供給する非紙媒体供給手段を有する記録装置を複合機に搭載することが考えられる。
【０００７】
【発明が解決しようとする課題】
しかし、上記ＭＦＰ（マルチファンクション装置）において、その近傍にユーザが存在していても存在していなくても、ファクシミリ受信が、常時可能であるので、ＣＤＲプリントがセッティングされている際に、ファクシミリ受信する可能性があり、この場合に、ファクシミリ受信した画像は、本来、紙にプリントされるべきであるが、セッティングされている媒体が紙でなければ、紙にプリントすることができず、無理に紙にプリントしようとすると、紙ジャムになるという欠点がある。
【０００８】
この欠点を回避するには、ＣＤＲプリントがセッティングされている際には、全てメモリ受信することが考えられる。しかし、このような場合に、全てメモリ受信するようにすると、いずれメモリの残容量が零になり、結局はファクシミリ受信できなくなるという問題がある。
【０００９】
つまり、ＣＤＲプリントをセッティングすること自体は、紙なし、インクなしというようなエラー状態ではないが、ＣＤＲプリントをセッティングしているときに、ファクシミリ受信すると、結局はファクシミリ受信できなくなるという問題がある。
【００１０】
上記問題は、ファクシミリ装置以外の画像形成装置においても生じる問題である。
【００１１】
本発明は、ＣＤＲプリントセッティングになっていれば、手動受信し、子電話でオフフックした後に、オペレーションでファクシミリを受信することが可能であり、ＣＤＲプリントのセッティングでも、無理に紙にプリントしようとして紙ジャムになることがない画像形成装置およびその制御方法を提供することを目的とするものである。
【００１２】
【課題を解決するための手段】
本発明は、ＣＤＲプリントをセッティングしているときに、ファクシミリを受信すると、着信したことをユーザに知らせることによって、ユーザが、ＭＦＰのセッティングを換え、ファクシミリ受信できるようにすることであり、具体的には、ＣＤＲプリントセッティングになっていれば、手動受信し、子電話でオフフックした後に、オペレーションでファクシミリを受信するものである。
【００１３】
【発明の実施の形態および実施例】
［第１の実施例］
図２は、本発明の画像形成装置１００を示す全体図であり、ＣＤＲガイドユニット２と記録紙トレイ５とが装着されている状態を示す図である。
【００１４】
記録紙トレイ５は、記録紙を積載するトレイであり、記録紙を搬送する構成は、紙媒体供給手段の例である。
【００１５】
ＣＤＲガイドユニット２は、画像形成装置１００がＣＤＲ４に印字するユニットであり、ＣＤＲ４を印字位置に搬送する構成は、非紙媒体供給手段の例である。なお、非紙媒体は、ＣＤＲ等の紙以外の媒体である。
【００１６】
図３は、ＣＤＲトレイ３の全体を示す図である。
【００１７】
図４は、ＣＤＲトレイ３にＣＤＲ４が搭載されている状態を示す図である。
【００１８】
図５は、ＣＤＲトレイ３がＣＤＲガイドユニット２に挿入されている状態を示す図である。
【００１９】
ＣＤＲトレイ３は、ＣＤＲガイドユニット２が本体に装着されると、本体のモータによって駆動され、前後に搬送される。
【００２０】
図６は、ＣＤＲガイドユニット２、ＣＤＲトレイ３が本体に装着された場合の動作を説明する図である。
【００２１】
ＣＤＲガイドユニット２が本体に装着されると、本体に取り付けられているマイクロスイッチで構成されているガイドセンサ１０の接点が閉じ、出力が変化する。そして、ＣＤＲ４が乗せられているＣＤＲトレイ３が、ＣＤＲガイドユニット２に挿入されると、ＣＤＲトレイ３は、本体のモータによって駆動され、印字位置まで搬送される。この状態で、本体に取り付けられている反射型フォトインタラプタで構成されているＣＤＲ−Ｐセンサ１１は、ＣＤＲからの反射光を検知し、出力が変化する。
【００２２】
図７は、上記実施例において、紙媒体供給手段の例である記録紙へ印字する紙パスを示す断面図である。
【００２３】
記録紙トレイ５に積載された記録紙は、図７中、パスａで搬送され、ヘッド６の位置で印字され、排出される。
【００２４】
図８は、非紙媒体供給手段の例であるＣＤＲ４へ印字する記録媒体（ＣＤＲ）のパスを示す断面図である。
【００２５】
図７の状態から、ヘッド６が上に移動し、ＣＤＲトレイ３が通るスペースが作られる。ＣＤＲ４を搭載したＣＤＲトレイ３が、図７中、左側から挿入され、上記ＣＤＲトレイ３は、まず、右側の一番奥まで搬送され、その後、ＣＤＲ４の印字領域に、ヘッド６の位置に印字しながら、左側に搬送される。
【００２６】
図７、図８からわかるように、基本的には、紙媒体供給手段も、非紙媒体供給手段も同じパスである。したがって、両方の供給手段を同時に使用することができない。つまり、ＣＤＲガイドユニット２が装着されている状態では、記録紙へ印字することができない構造になっている。
【００２７】
図１は、本発明の一実施例である画像形成装置１００の概略構成を示すブロック図である。
【００２８】
画像形成装置１００において、ＣＰＵ１０１は、システム制御部であり、画像形成装置１００の全体を制御する。
【００２９】
ＲＯＭ１０２は、ＣＰＵ１０１が実行する制御プログラムや、組み込みオペレーティングシステム（ＯＳ）プログラム等を格納する。上記実施例では、ＲＯＭ１０２に格納されている各制御プログラムは、ＲＯＭ１０２に格納されている組み込みＯＳの管理下で、スケジューリング、タスクスイッチ等のソフトウエア制御を行う。
【００３０】
ＲＡＭ１０３は、ＳＲＡＭ（Ｓｔａｔｉｃ  ＲＡＭ）等で構成され、プログラム制御変数等を格納し、また、オペレータが登録した設定値や画像形成装置１００の管理データ等を格納し、各種ワーク用バッファ領域が設けられている。
【００３１】
画像メモリ１０４は、ＤＲＡＭ（ｄｙｎａｍｉｃ  ＲＡＭ）等で構成され、画像データを蓄積する。
【００３２】
データ変換部１０５は、ページ記述言語（ＰＤＬ）等の解析や、キャラクタデータのＣＧ（ｃｏｍｐｕｔｅｒ  ｇｒａｐｈｉｃｓ）展開等、画像データの変換を行う。
【００３３】
読取制御部１０６は、読取部１０７が、ＣＩＳイメージセンサ（密着型イメージセンサ）によって原稿を光学的に読み取り、電気的な画像データに変換した画像信号を、図示しない画像処理制御部を介して、２値化処理や中間調処理等の各種画像処理を施し、高精細な画像データを出力する。なお、上記実施例では、読取制御部１０６は、原稿を搬送しながら読み取りを行うシート読取制御方式と、原稿台にある原稿をスキャンするブック読取制御方式の両制御方式に対応している。
【００３４】
操作表示部１０８は、数値入力キー、文字入力キー、ワンタッチ電話番号キー、モード設定キー、決定キー、取り消しキー等を備え、ユーザが画像送信相手先データの決定や設定データの登録動作を行う操作部と、各種キー、ＬＥＤ（発光ダイオード）とＬＣＤ（液晶ディスプレイ）等によって構成され、オペレータによる各種入力操作や、画像形成装置１００の動作状況、ステータス状況の表示等を行う表示部である。
【００３５】
通信制御部１０９は、ＭＯＤＥＭ（変復調装置）や、ＮＣＵ（網制御装置）等によって構成され、アナログの通信回線（ＰＳＴＮ）１３１に接続され、さらに外付けの電話機１３２が接続されている。Ｔ３０プロトコルでの通信制御、通信回線に対する発呼と着呼等の回線制御を行う。通信制御部１０９に関しては、図９を用いて、後述する。
【００３６】
解像度変換処理部１１０は、画像データのミリ−インチ解像度変換等の解像度変換制御を行う。なお、解像度変換処理部１１０において、画像データの拡大縮小処理も可能である。
【００３７】
符号復号化処理部１１１は、画像形成装置１００が扱う画像データ（ＭＨ、ＭＲ、ＭＭＲ、ＪＢＩＧ、ＪＰＥＧ等）を符号復号化処理し、拡大縮小処理する。
【００３８】
記録制御部１１２は、図示しない画像処理制御部を介して、スムージング処理や記録濃度補正処理、色補正等の各種画像処理を、印刷される画像データに施し、高精細な画像データに変換し、ＵＳＢホスト制御部１１４に出力する。また、ＵＳＢホスト制御部１１４を制御することによって、定期的に記録部１１５の状態情報データを取得する。
【００３９】
ＵＳＢファンクション制御部１１３は、ＵＳＢインタフェースの通信制御を行い、ＵＳＢ通信規格に従って、プロトコル制御し、ＣＰＵ１０１が実行するＵＳＢ制御タスクからのデータを、パケットに変換し、外部の情報処理端末１３３に、ＵＳＢパケット送信し、逆に、外部の情報処理端末１３３からのＵＳＢパケットを、データに変換し、ＣＰＵ１０１に送信する。
【００４０】
ＵＳＢホスト制御部１１４は、ＵＳＢ通信規格で定められたプロトコルで通信する制御部である。ＵＳＢ通信規格は、双方向のデータ通信を高速に行うことが出来る規格であり、１台のホスト（マスター）に対し、複数のハブまたはファンクション（スレーブ）を接続することができる。ＵＳＢホスト制御部１１４は、ＵＳＢ通信におけるホストの機能を有する。
【００４１】
記録部１１５は、レーザビームプリンタやインクジェットプリンタ等からなる印刷装置であり、カラー画像データ、またはモノクロ画像データを印刷部材に印刷する。ＵＳＢホスト制御部１１４とは、ＵＳＢ通信規格で定められたプロトコルで通信を行い、特に、記録部１１５はファンクションの機能を有する。
【００４２】
ガイドセンサ１０は、非紙媒体供給手段を構成するＣＤＲガイドユニット２が装着されたことを検知するセンサであり、マイクロＳＷで構成され、このセンサ出力は、ＣＰＵ１０１と記録部１１５との両方に送られる。
【００４３】
ＣＤＲ−Ｐセンサ１１は、非紙媒体供給手段を構成するＣＤＲトレイ３上のＣＤＲ４が印字位置に到達したこと等を検知するセンサであり、反射型フォトインタラプタで構成され、このセンサ出力は記録部１１５に送られる。
【００４４】
上記実施例において、記録機能のＵＳＢ通信は、１対１の接続形態を用いる。
【００４５】
上記構成要素１０１〜１０６、１０８〜１１４は、ＣＰＵ１０１が管理するＣＰＵバス１２１を介して、相互に接続されている。
【００４６】
図９は、通信制御部１０９の詳細を示すブロック図である。
【００４７】
通信制御部１０９は、ＣＭＬリレー２０１と、パルスリレー（Ｐリレー）２０２と、電気回路２０３と、直流カットコンデンサ２０４と、６００Ω：６００Ωトランス２０５と、２線−４線変換回路２０６と、ＣＮＧ検出回路２０７と、ＤＴＭＦ検出回路２１３と、モデム２１５と、ＣＰＵバス１２１と、呼出信号検出回路２１６とを有する。
【００４８】
ＣＭＬリレー２０１は、回線２０８を電話側とファクシミリ側とに切り替えるリレーであり、パルスリレー（Ｐリレー）２０２は、ダイヤルパルスを発生させるリレーであり、電気回路２０３は、直流ループを形成するＲＥＴコイルまたはそれと同等の働きをする電気回路であり、６００Ω：６００Ωトランス２０５は、回線とファクシミリとを分離するトランスである。
【００４９】
直流カットコンデンサ２０４は、６００Ω：６００Ωトランス２０５に交流成分のみを供給する直流カットコンデンサである。２線−４線変換回路２０６は、トランスの出力を送信側（ＴＸ）と受信側（ＲＸ）とに分ける２線−４線変換回路である。モデム２１５は、ファクシミリ信号を変復調するモデムであり、ＣＰＵバス１２１に接続されている。
【００５０】
呼出信号検出回路２１６は、呼出信号を検出する呼出信号検出回路であり、コンデンサ２１２は、直流カット用コンデンサである。トランス２１１からの出力信号は、ＣＭＬリレー２0１が電話機側に切り替わっている状態で、回線２０８や電話機への接続線２０９上の信号を監視する信号である。
【００５１】
ＣＮＧ検出回路２０７は、ＣＮＧを検出し、出力信号２１０を出力し、ＰＬＬ回路で構成され、ＤＴＭＦ検出回路２１３は、出力信号２１４を出力する。
【００５２】
図１０は、第１の実施例において、ファクシミリ受信の動作を示すフローチャートである。
【００５３】
まず、ステップＳ３０１では、回線からの着信を、呼び出し信号検出回路２１６でチェックし、着信があれば、ステップＳ３０２で、ＣＤＲガイドユニット２が装着されているかどうかを、ガイドセンサ１０がチェックする。
【００５４】
ステップＳ３０２では、ＣＤＲガイドユニット２が装着されていなければ、紙媒体供給手段である紙への印字パスで、記録紙へ印字できるので、ステップＳ３０３では、ファクシミリ受信処理を行う。
【００５５】
上記ファクシミリ受信処理は、画像形成装置１００の受信モード設定に従う受信処理をも行うものである。つまり、受信モードが、強制ファクシミリ受信モードであれば、ＣＭＬリレー２０１をモデム側に切り替え、ファクシミリ受信のための信号（たとえばＣＥＤ）を送出し、受信モードが手動受信モードであれば、ＣＭＬリレーを切り替えず、着信を、外付け電話１３２に応答させる。ステップＳ３０４では、受信したファクシミリ画像データを、紙媒体供給手段が供給した記録紙に印字し、ファクシミリ受信処理を終了する。
【００５６】
ステップＳ３０２でＣＤＲガイドユニット２が装着されていれば、上記のように、紙媒体供給手段である紙への印字パスで記録紙に印字することができないので、画像形成装置１００の受信モード設定にかかわらず、着信を、外付け電話１３２に応答させる。
【００５７】
そして、ＣＤＲプリントを行っているユーザが着信に気づき、外付け電話で応答したら、ステップＳ３０５では、ＣＮＧ検出回路２０７がＣＮＧを検出したかどうかをチェックする。ＣＮＧを検出しなければ、相手は電話であるので、そのまま受信処理を終了し、ＣＮＧを検出すれば、ＣＭＬリレー２０１をモデム側に切り替え、ファクシミリ受信処理を行う（ステップＳ３０６）。
【００５８】
この間に、ユーザが電話を取ると、相手機からのＣＮＧが聞こえ、ファクシミリを着信したことがわかるので、ユーザは、ＣＤＲガイドユニット２を外し、紙媒体供給手段である記録紙へ印字できるようにすることができる。そして、ステップＳ３０７では、再びＣＤＲガイドユニット２が外されたかどうかをガイドセンサ１０がチェックする。ここで、ＣＤＲガイドユニット２が外されていれば、ステップＳ３０８に進み、紙媒体供給手段によって供給された記録紙に印字し、ファクシミリ受信処理を終了する。
【００５９】
もし、ステップＳ３０７の時点でも、ＣＤＲガイドユニット２が装着されたままであれば、やはり記録紙への印字はできないので、ステップＳ３０９に進み、受信した画像データをメモリ１０３に保存する。
【００６０】
上記のように、ＣＤＲガイドユニット２を装着し、ＣＤＲプリントを行っている最中でも、ユーザは、着信したファクシミリを記録紙に印字して確認することができる。
【００６１】
［第２の実施例］
第１の実施例では、ユーザが電話で応答した後に、相手機からのＣＮＧ信号を検知し、ファクシミリ受信に移行させる例であるが、第２の実施例は、ユーザが電話に応答すると、電話機からのオペレーションによって、ユーザがファクシミリ受信に移行させる実施例である。
【００６２】
なお、ファクシミリ受信の動作フローチャート以外は、第１の実施例と同じ構成であるので、受信時のフローチャートのみを示すことによって、第２の実施例を説明する。
【００６３】
図１１は、第２の実施例におけるファクシミリ受信の動作を示すフローチャートである。
【００６４】
まず、ステップＳ４０１において、回線からの着信を呼び出し、信号検出回路２１６でチェックし、着信があれば、ステップＳ４０２で、ＣＤＲガイドユニット２が装着されているかどうかを、ガイドセンサ１０がチェックし、ＣＤＲガイドユニット２が装着されていなければ、紙媒体供給手段である紙への印字パスで、記録紙へ印字することができるので、ステップＳ４０３でファクシミリ受信処理を行う。
【００６５】
このファクシミリ受信処理は、画像形成装置１００の受信モード設定に従う受信処理をも行うものである。つまり、受信モードが強制ファクシミリ受信モードであれば、ＣＭＬリレー２０１をモデム側に切り替え、ファクシミリ受信のための信号（たとえばＣＥＤ）を送出し、受信モードが手動受信モードであれば、ＣＭＬリレーを切り替えず、外付け電話１３２に着信を応答させる。ステップＳ４０４では、受信したファクシミリ画像データを、紙媒体供給手段によって供給された記録紙に印字し、ファクシミリ受信処理を終了する。
【００６６】
ステップＳ４０２では、ＣＤＲガイドユニット２が装着されていれば、上記のように、紙媒体供給手段である紙への印字パスでは記録紙へ印字することができないので、画像形成装置１００の受信モード設定にかかわらず、外付け電話１３２に着信を応答させる。
【００６７】
そして、ＣＤＲプリントを行っているユーザが着信に気づき、外付け電話で応答し、着信がファクシミリであれば、ユーザは、電話機のダイヤルで“２５”を押し、ファクシミリ受信に切り替えることができる。上記“２５”は、デフォルトの値であり、ユーザ設定によって任意の番号に設定することが可能である。
【００６８】
ステップＳ４０５では、ＤＴＭＦ検出回路２１３が“２５”のＤＴＭＦを検出したかどうかをチェックする。ＤＴＭＦ“２５”を検出しなければ、相手は、電話であるので、そのまま受信処理を終了し、ＤＴＭＦ“２５”を検出すれば、ＣＭＬリレー２０１をモデム側に切り替え、ファクシミリ受信処理を行う（ステップＳ４０６）。
【００６９】
この間に、ユーザが、ＣＤＲガイドユニット２を外し、紙媒体供給手段である記録紙へ印字できるようにすることが可能である。そして、ステップＳ４０７では、再びＣＤＲガイドユニット２が外されたかどうかを、ガイドセンサ１０がチェックする。ここで、ＣＤＲガイドユニット２が外されていれば、ステップＳ４０８に進み、紙媒体供給手段によって供給された記録紙に印字し、ファクシミリ受信処理を終了する。
【００７０】
もし、ステップＳ４０７の時点でも、ＣＤＲガイドユニット２が装着されたままであれば、やはり記録紙へ印字できないので、ステップＳ４０９に進み、受信した画像データを、メモリ１０３に保存する。
【００７１】
なお、上記フローチャートでは、ＤＴＭＦを検出するが、電話機の設定がパルスであれば、パルスの番号を検知し、ファクシミリに切り替えることも可能である。
【００７２】
上記実施例によれば、ＣＤＲガイドユニット２を装着し、ＣＤＲプリントを行っている最中でも、ユーザは、着信したファクシミリを記録紙に印字し、確認することができる。
【００７３】
つまり、上記実施例は、ＭＦＰがＣＤＲプリントにセッティングされ、しかも、ＣＤＲプリントするデータをユーザがＰＣで作成しているときに、ファクシミリ受信すると、ファクシミリ受信であることをユーザに知らせるので、ユーザは、ＭＦＰのセッティングを、紙プリントのセッティングに切り換え、紙に受信ファクシミリをプリントアウトすることができ、メモリフルで受信できないという問題がなくなる。
【００７４】
【発明の効果】
本発明によれば、非紙媒体供給手段が画像形成装置本体に装着されている場合には、回線からの着信に応答せず、接続されている電話機が回線を捕捉した後に、着信がファクシミリであった場合に、上記ファクシミリ切り替え手段に応じてファクシミリ受信を行うよう手動受信することが可能であり、非紙媒体供給手段が画像形成装置本体に装着されている場合でも、無理に紙にプリントしようとして紙ジャムになることがないという効果を奏する。
【００７５】
また、本発明によれば、非紙媒体供給手段が画像形成装置本体に装着されていないと、上記監視手段が判断した場合には、受信画像を印刷手段に印刷させるので、メモリフルで受信ができないことを阻止することができるという効果を奏する。
【図面の簡単な説明】
【図１】本発明の一実施例である画像形成装置１００の概略構成を示すブロック図である。
【図２】本発明の画像形成装置１００を示す全体図であり、ＣＤＲガイドユニット２と記録紙トレイ５とが装着されている状態を示す図である。
【図３】ＣＤＲトレイ３の全体を示す図である。
【図４】ＣＤＲトレイ３にＣＤＲ４が搭載されている状態を示す図である。
【図５】ＣＤＲトレイ３がＣＤＲガイドユニット２に挿入されている状態を示す図である。
【図６】ＣＤＲガイドユニット２、ＣＤＲトレイ３が本体に装着された場合の動作を説明する図である。
【図７】上記実施例において、紙媒体供給手段の例である記録紙へ印字する紙パスを示す断面図である。
【図８】非紙媒体供給手段の例であるＣＤＲ４へ印字する記録媒体（ＣＤＲ）のパスを示す断面図である。
【図９】通信制御部１０９の詳細を示すブロック図である。
【図１０】第１の実施例において、ファクシミリ受信の動作を示すフローチャートである。
【図１１】第２の実施例におけるファクシミリ受信の動作を示すフローチャートである。
【符号の説明】
１００…画像形成装置、
２…ＣＤＲガイドユニット、
４…ＣＤＲ、
５…記録紙トレイ、
１０１…ＣＰＵ、
１０２…ＲＯＭ、
１０３…ＲＡＭ、
１０４…画像メモリ、
１０５…データ変換部、
１０６…読取制御部、
１０７…読取部、
１０８…操作表示部、
１０９…通信制御部、
１１０…解像度変換処理部、
１１１…符号復号化処理部、
１１２…記録制御部、
１１３…ＵＳＢファンクション制御部、
１１４…ＵＳＢホスト制御部、
１１５…記録部。
【図１】
0003652355.tif 000002
【図２】
0003652355.tif 000003
【図３】
0003652355.tif 000004
【図４】
0003652355.tif 000005
【図５】
0003652355.tif 000006
【図６】
0003652355.tif 000007
【図７】
0003652355.tif 000008
【図８】
0003652355.tif 000009
【図９】
0003652355.tif 000010
【図１０】
0003652355.tif 000011
【図１１】
0003652355.tif 000012